(57)【要約】【課題】ペンケースとして携帯可能であるとともに筆記等を用いた作業中に容易にその都度筆記具等を取り出せる形態に変化させることができるペンケースを提供する。【解決手段】折り畳み式のペンケースとし、当該ペンケースの平面状態において四隅の各々付近の一対の結合部を設けることにより、トレイ型に変形させることができる。【選択図】図１
2018038769.tif 000002
【特許請求の範囲】
【請求項１】
第１の基材と、
第２の基材と、
前記第２の基材上に設けられた第１の結合部と、
前記第２の基材上に設けられた第２の結合部と、を備え、
前記第１の基材と前記第２の基材とは、互いに一部で接合、接着又は縫合されることにより、内部に物品を収容可能な第１の袋状部が形成され、
前記第１の結合部と前記第２の結合部とは結合可能になっていること、
を特徴とする物入れ。
【請求項２】
請求項１に記載の物入れにおいて、
さらに第３の基材を含み、
前記第１の基材と前記第３の基材とは、互いに一部で接合、接着又は縫合されることにより、内部に物品を収容可能な第２の袋状部が形成されていること、
を特徴とする物入れ。
【請求項３】
請求項２に記載の物入れにおいて、
さらに、
前記第２の基材上に設けられた第３の結合部と、
前記第２の基材上に設けられた第４の結合部と、
前記第３の基材上に設けられた第５の結合部と、
前記第３の基材上に設けられた第６の結合部と、
前記第３の基材上に設けられた第７の結合部と、
前記第３の基材上に設けられた第８の結合部と、を備え、
前記第３の結合部と前記第４の結合部とは結合可能になっており、
前記第５の結合部と前記第６の結合部とは結合可能になっており、
前記第７の結合部と前記第８の結合部とは結合可能になっていること、
を特徴とする物入れ。
【請求項４】
請求項３に記載の物入れにおいて、
前記第１の結合部と前記第２の結合部とが結合され、かつ
前記第３の結合部と前記第４の結合部とが結合され、かつ
前記第５の結合部と前記第６の結合部とが結合され、かつ
前記第７の結合部と前記第８の結合部とが結合された状態では、
前記物入れは、凹状の形状を有すること、
を特徴とする物入れ。
【請求項５】
請求項１乃至４のいずれかに記載の物入れにおいて、
前記第１の結合部と前記第２の結合部との間には前記第２の基材が設けられていない第１の切欠き部が形成されていること、
を特徴とする物入れ。
【請求項６】
請求項３に記載の物入れにおいて、
前記第１の結合部と前記第２の結合部との間には前記第２の基材が設けられていない第１の切欠き部が形成されており、
前記第３の結合部と前記第４の結合部との間には前記第２の基材が設けられていない第２の切欠き部が形成されており、
前記第５の結合部と前記第６の結合部との間には前記第３の基材が設けられていない第３の切欠き部が形成されており、
前記第７の結合部と前記第８の結合部との間には前記第２の基材が設けられていない第４の切欠き部が形成されていること、
を特徴とする物入れ。
【請求項７】
請求項２に記載の物入れにおいて、
前記第２の基材は、前記第３の基材に接していないこと、
を特徴とする物入れ。
【請求項８】
請求項２に記載の物入れにおいて、
前記第２の基材と前記第３の基材とは、前記第１の基材の二つの主面のうち同じ側に配置されていること、
を特徴とする物入れ。
【請求項９】
請求項１乃至８のいずれかに記載の物入れにおいて、
前記第２の基材は、前記第１の袋状部の開口部側に切れ込み部を有すること、
を特徴とする物入れ。
【請求項１０】
請求項１乃至８のいずれかに記載の物入れにおいて、
前記第２の基材は、前記第１の袋状部の開口部側に物品保持する保持部を有し、
前記保持部は、その中に物品を通すことにより当該物品を保持すること、
を特徴とする物入れ。
【請求項１１】
請求項２に記載の物入れにおいて、
前記第２の基材は、前記第１の袋状部の開口部側に切れ込み部を有し、
前記第３の基材は、前記第２の袋状部の開口部側に物品保持する保持部を有し、
前記保持部は、その中に物品を通すことにより当該物品を保持すること、
を特徴とする物入れ。
【請求項１２】
請求項２に記載の物入れにおいて、
前記第２の基材は、前記第１の袋状部の開口部側に物品保持する保持部を有し、
前記第３の基材は、前記第２の袋状部の開口部側に切れ込み部を有し、
前記保持部は、その中に物品を通すことにより当該物品を保持すること、
を特徴とする物入れ。
【請求項１３】
少なくとも一つの袋状部を有し、携帯時には物品を当該少なくとも一つの袋状部に収容可能であるとともに、作業時にトレイに変形させることが可能な物入れ。
【請求項１４】
請求項１乃至１３のいずれかに記載の物入れは、ペンケースであること、
を特徴とする物入れ。
【発明の詳細な説明】
【技術分野】
【０００１】  本発明の一つの態様は、鉛筆、ボールペン及びマジックペン等のペン類又は筆記具等の物品又はカッター、定規及び消しゴム等の文房具等の物品を収納するペンケース及び物入れに関する。
【背景技術】
【０００２】  従来ペンケースは単に筆記具を携帯すること主目的として用いられてきたが作業中にも筆記具を容易に取り出すことができるペンケースの開発が望まれていた。【０００３】  特許文献１には、デスク等に立てて使用できるように底面部を有するペンケースが開示されている。作業者は、当該ペンケースの中から使用する筆記用具を取り出して作業する。
【先行技術文献】
【特許文献】
【０００４】
【特許文献１】特開２００２−３２０５１２号公報
【発明の概要】
【発明が解決しようとする課題】
【０００５】  しかし、特許文献１に開示されているペンケースでは、使用する筆記用具を一つ一つペンケースの中から取り出さなくてはならず、例えば、頻繁に異なる筆記用具を使用するような作業では、作業の効率が上がらないという問題があった。【０００６】  これに対して、本発明に係るいくつかの態様は、上記の課題を解決するためになされたものであり、物入れとしての携帯性を有したまま、複数の筆記具を使用する作業も容易にする物入れを得ることを目的とするものである。
【課題を解決するための手段】
【０００７】  本発明に係る物入れは、第１の基材と、第２の基材と、前記第２の基材上に設けられた第１の結合部と、前記第２の基材上に設けられた第２の結合部と、を備え、前記第１の基材と前記第２の基材とは、互いに一部で接合、接着又は縫合されることにより、内部に物品を収容可能な第１の袋状部が形成され、前記第１の結合部と前記第２の結合部とは結合可能になっていることを特徴とする。これにより、前記第１の結合部と前記第２の結合部とを結合させることにより、高低差を作ることが可能となり、筆記具等の物品を置くトレイとして利用することが可能となる。【０００８】  前記第１の結合部と前記第２の結合部は、前記第１の結合部と前記第２の結合部とが結合できる位置に配置され、かつ、前記第１の結合部と前記第２の結合部とを結合させた状態で、上記物入れの外縁の少なくとも一部とその他の部分との間に高低差ができるように設けることが好ましい。【０００９】  前記第１の結合部及び前記第２の結合部のいずれか一方がオス、他方がメスであることが好ましい。【００１０】  上第１の基材と第２の基材との接着部又は縫合部は、第１の基材の外縁側に位置することが好ましい。【００１１】  上記の物入れにおいて、さらに第３の基材を含み、前記第１の基材と前記第３の基材とは、互いに一部で接合、接着又は縫合されることにより、内部に物品を収容可能な第２の袋状部が形成されていることが好ましい。【００１２】  第１の基材と第３の基材との接着部又は縫合部は、第１の基材の外縁側に位置することが好ましい。また、第２の基材と第３の基材との間は間隔を設けることが好ましい。【００１３】  上記の物入れにおいて、さらに、前記第２の基材上に設けられた第３の結合部と、前記第２の基材上に設けられた第４の結合部と、前記第３の基材上に設けられた第５の結合部と、前記第３の基材上に設けられた第６の結合部と、前記第３の基材上に設けられた第７の結合部と、前記第３の基材上に設けられた第８の結合部と、を備え、前記第３の結合部と前記第４の結合部とは結合可能になっており、前記第５の結合部と前記第６の結合部とは結合可能になっており、前記第７の結合部と前記第８の結合部とは結合可能になっていることが好ましい。【００１４】  上記の物入れにおいて、前記第３の結合部及び前記第４の結合部のいずれか一方がオス、他方がメスであることが好ましく、前記第５の結合部及び前記第６の結合部のいずれか一方がオス、他方がメスであることが好ましく、前記第７の結合部及び前記第８の結合部のいずれか一方がオス、他方がメスであることが好ましい。【００１５】  上記の物入れにおいて、前記第１の結合部、前記第２の結合部、前記第３の結合部、前記第４の結合部、前記第５の結合部、前記第６の結合部、前記第７の結合部及び前記第８の結合部は、前記第１の結合部と前記第２の結合部とが結合され、前記第３の結合部と前記第４の結合部とが結合され、前記第５の結合部と前記第６の結合部とが結合され、前記第７の結合部と前記第８の結合部とが結合された場合に、物入れの外縁の少なくとも一部と他の部分との間に高低差ができるように配置されることが好ましい。【００１６】  上記の物入れにおいて、前記第１の結合部と前���第２の結合部とが結合され、かつ前記第３の結合部と前記第４の結合部とが結合され、かつ前記第５の結合部と前記第６の結合部とが結合され、かつ前記第７の結合部と前記第８の結合部とが結合された状態では、前記物入れは、凹状の形状を有することが好ましい。【００１７】  上記の物入れにおいて、前記第１の結合部と前記第２の結合部との間には前記第２の基材が設けられていない第１の切欠き部が形成されていることが好ましい。これにより前記第１の結合部と前記第２の結合部との間を折り曲げやすくなり、結合が容易となる。【００１８】  前記第１の切欠き部の代わりに、例えば、前記第２の基材の厚みを薄くして前記第１の結合部と前記第２の結合部との間を折り曲げやすくするようにしてもよい。【００１９】  上記の物入れにおいて、前記第１の結合部と前記第２の結合部との間には前記第２の基材が設けられていない第１の切欠き部が形成されており、前記第３の結合部と前記第４の結合部との間には前記第２の基材が設けられていない第２の切欠き部が形成されており、前記第５の結合部と前記第６の結合部との間には前記第３の基材が設けられていない第３の切欠き部が形成されており、前記第７の結合部と前記第８の結合部との間には前記第４の基材が設けられていない第２の切欠き部が形成されていることが好ましい。【００２０】  これにより前記第１の結合部と前記第２の結合部との間を折り曲げやすくなって、前記第１の結合部と前記第２の結合部との結合が容易となり、前記第３の結合部と前記第４の結合部との間を折り曲げやすくなって、前記第３の結合部と前記第４の結合部との結合が容易となり、前記第５の結合部と前記第６の結合部との間を折り曲げやすくなって、前記第５の結合部と前記第６の結合部との結合が容易となり、前記第７の結合部と前記第８の結合部との間を折り曲げやすくなって、前記第７の結合部と前記第８の結合部との結合が容易となる。【００２１】  上記の物入れにおいて、前記第２の基材は、前記第３の基材に接していないことが好ましい。または上記の物入れにおいて、前記第２の基材と前記３の基材とは間隔を設けて配置することが好ましい。【００２２】  上記の物入れにおいて、前記第２の基材と前記第３の基材とは、前記第１の基材の二つの主面のうち同じ側に配置されていることが好ましい。これにより、前記第２の基材と前記第３の基材とがある側に折り曲げることで、収容した物品が外に出ずらなくなり、携帯等に適した形態になる。【００２３】  上記の物入れにおいて、前記第２の基材の外周を成す四角形又はそれに近い形状を有しており、当該四角形のうち三辺は前記第１の基材の外周を成す三辺と実質的に重なる配置とすることが好ましい。【００２４】  上記の物入れにおいて、前記四角形の前記第１の基材の外周を成す三辺とは重ならない一辺には切れ込み部が設けられていることが好ましい。この切れ込み部により前記第一袋状部に収容した物品を取り出し易くなる。【００２５】  上記の物入れにおいて、前記四角形の前記第１の基材の外周を成す三辺とは重ならない一辺には物品を保持する保持部を有しすることが好ましい。前記保持部は、その中に物品を通すことにより当該物品を保持することが可能である。【０���２６】    上記の物入れにおいて、前記第２の基材は、前記第１の袋状部の開口部側に切れ込み部を有することが好ましい。この切れ込み部により前記第一袋状部に収容した物品を取り出し易くなる。【００２７】  上記の物入れにおいて、前記第２の基材は、前記第１の袋状部の開口部側に物品保持する保持部を有することが好ましい。前記保持部は、その中に物品を通すことにより当該物品を保持することが可能である。【００２８】  上記の物入れにおいて、前記第２の基材は、前記第１の袋状部の開口部側に切れ込み部を有し、前記第３の基材は、前記第２の袋状部の開口部側に物品を保持する保持部を有しすることが好ましい。前記保持部は、その中に物品を通すことにより当該物品を保持することが可能である。例えば、前記保持部にハサミ、ナイフ又はカッター等の刃物類を保持させることにより、上記の物入れに安全に収容することが可能である。【００２９】  上記の物入れにおいて、前記第２の基材は、前記第１の袋状部の開口部側に物品保持する保持部を有し、前記第３の基材は、前記第２の袋状部の開口部側に切れ込み部を有することが好ましい。前記保持部は、その中に物品を通すことにより当該物品を保持することが可能である。
【発明の効果】
【００３０】  本発明のいくつかの態様に係る物入れにより、複数の物品を使用する作業を効率良く進めることができる。
【図面の簡単な説明】
【００３１】
【図１】本発明に係るペンケースの一例の平面図である。
【図２】本発明に態様に係るペンケースに筆記具を収納した場合の図である。
【図３】本発明に態様に係るペンケースの平面図及び携帯用として折りたたんだ場合の図である。
【図４】本発明に態様に係るペンケースを筆記具等の物品を置くトレイ型として用いた場合の図である。
【発明を実施するための形態】
【００３２】  本発明の態様に係るペンケースについて、図に示す実施の形態に基づいて説明する。
【００３３】  図１に示したペンケースは、ベース部材１と、ベース部材１と貼り合わせて袋状部を形成する第１貼り合わせ部材２と、同じくベース部材１と貼り合わせて袋状部を形成する第２貼り合わせ部材３と、から形成される。第１貼り合わせ部材２と第２貼り合わせ部材３は、ベース部材１の二つの主面のうち一方の主面に配置されており、かつ、第１貼り合わせ部材２と第２貼り合わせ部材３とは接しないように間隔が設けられている。
【００３４】  ベース部材１、第１貼り合わせ部材２及び第２貼り合わせ部材３は、四角形又はそれに近い形状を有しており、第１貼り合わせ部材２の外周を成す三辺は、ベース部材の外周を成す三辺と実質的に重なっている重なり部を有し、第１貼り合わせ部材２の外周を成す三辺は、当該重なり部で接着又は縫合されている。第２貼り合わせ部材３の外周を成す三辺は、ベース部材の外周を成す三辺と実質的に重なっている重なり部を有し、第２貼り合わせ部材３の外周を成す三辺は、当該重なり部で接着又は縫合されている。
【００３５】  ベース部材１の外周を成す辺と重なる、第１貼り合わせ部材２の外周を成す三辺のうち互いに対向する二辺の各々は、その辺が重なるベース部材１の辺の４分の１以上２分の１未満の長さであることが好ましく、さらに好ましくは３分の１以上２分の１未満であり、最も好ましく５分の２以上２分の１未満である。これにより、ペンケースを第１貼り合わせ部材２と第２貼り合わせ部材３との間に設けられた間隔の箇所で折り曲げて使用者が携帯する際に、ベース部材１と第１貼り合わせ部材２とからなる袋状部の開口部がその折り曲げられた箇所近くに位置することとなり、上記袋状部に収容された物品がこぼれ落ちないようにすることが可能となる。
【００３６】  ベース部材１の外周を成す辺と重なる、第２貼り合わせ部材３の外周を成す三辺のうち互いに対向する二辺の各々は、その辺が重なるベース部材１の辺の４分の１以上２分の１未満の長さであることが好ましく、さらに好ましくは３分の１以上２分の１未満であり、最も好ましく５分の２以上２分の１未満である。これにより、ペンケースを第１貼り合わせ部材２と第２貼り合わせ部材３との間に設けられた間隔の箇所で折り曲げて使用者が携帯する際に、ベース部材１と第２貼り合わせ部材３とからなる袋状部の開口部がその折り曲げられた箇所近くに位置することとなり、上記袋状部に収容された物品がこぼれ落ちないようにすることが可能となる。
【００３７】ベース部材１に用いる材料としては、例えば、ポリウレタン、ポリ塩化ビニル、キャンバス、帆布、合成皮革、人造皮革及び天然皮革が挙げられ、第１貼り合わせ部材に用いる材料としては、例えば、ポリウレタン、ポリ塩化ビニル、キャンバス、帆布、合成皮革、人造皮革及び天然皮革が挙げられ、第２貼り合わせ部材に用いる材料としては、例えば、ポリウレタン、ポリ塩化ビニル、キャンバス、帆布、合成皮革、人造皮革及び天然皮革が挙げられる。
【００３８】  第１貼り合わせ部材２上には、第１ホック４、第２ホック５、第３ホック６及び第４ホック７が設けられている。第１ホック４及び第２ホック５の一方がオスで他方がメスである。同様に第３ホック６及び第４ホック７の一方がオスで他方がメスである。第２貼り合わせ部材３上には、第５ホック８、第６ホック９、第７ホック１０及び第８ホック１１が設けられている。第５ホック８及び第６ホック９の一方がオスで他方がメスである。同様に第７ホック１０及び第８ホック１１の一方がオスで他方がメスである。
【００３９】  第１貼り合わせ部材２には、ベース部材１と第１貼り合わせ部材２とにより形成された袋状部の開口側に切れ込み部１２が設けられている。別言すれば、第１貼り合わせ部材２の外周を成す四辺のうちベース部材１の外周を成す三辺と重ならない一辺に切れ込み部１２が設けられている。
【００４０】  第１貼り合わせ部材２には、ベース部材１と第２貼り合わせ部材３とにより形成された袋状部の開口側に保持部１３が設けられている。保持部１３は中にペンやカッター等の長辺を有する物品を通すことができる。別言すれば、第２貼り合わせ部材３の外周を成す四辺のうちベース部材１の外周を成す三辺と重ならない一辺に保持部１３が設けられている。
【００４１】  第１ホック４と第２ホック５との間、第３ホック６と第４ホック７との間、第５ホック８と第６ホック９との間、第７ホック１０と第８ホック１１との間には、それぞれ、第１切欠き部１４、第２切欠き部１５、第３切欠き部１６及び第４切欠き部１７が形成されている。第１切欠き部１４及び第２切欠き部１５は、第１貼り合わせ部材２が除去されている箇所であり、第３切欠き部１６及び第４切欠き部１７は、第２貼り合わせ部材３が除去されている箇所である。
【００４２】  図２には、本発明に態様に係るペンケースに筆記具を収納した場合を示している。
【００４３】  筆記具等を収納できるベース部材１と第１貼り合わせ部材２とにより形成された袋状部の開口部側に切れ込み部１２を設けたため、筆記具の取り出しが容易である。
【００４４】  筆記具等を収納できるベース部材１と第２貼り合わせ部材３とにより形成された袋状部の開口部側に保持部１３を設けたため、保持部１３の中に筆記具、カッター等の長い形状を有する物品を保持することができる。
【００４５】  図３に示したように、第１貼り合わせ部材２と第２貼り合わせ部材３との間の間隔が設けられた部分を折り畳むことができる。これによりペンケースの携帯が容易になる。
【００４６】  第１ホック４と第２ホック５とを結合又は嵌合させ、第３ホック６と第４ホック７とを結合又は嵌合させ、第５ホック８と第６ホック９とを結合又は嵌合させ、第７ホック１０と第８ホック１１とを結合又は嵌合させることにより、図１に示したペンケースを、図４に示したようにトレイ型に変形させることができる。
【００４７】  このようなトレイ型への変形において、第１ホック４と第２ホック５との間に設けられた第１切欠き部１４により第１ホック４と第２ホック５との結合又は嵌合が容易となり、第３ホック６と第４ホック７との間に設けられた第２切欠き部１５により、第３ホック６と第４ホック７との結合又は嵌合が容易となり、第５ホック８と第６ホック９との間に設けられた第３切欠き部１６により、第５ホック８と第６ホック９との結合又は嵌合が容易となり、第７ホック１０と第８ホック１１との間に設けられた第４切欠き部１７により、第７ホック１０と第８ホック１１との結合又は嵌合が容易となる。
【００４８】  上記の例では、第１ホック４、第２ホック５、第３ホック６、第４ホック７、第５ホック８、第６ホック９、第７ホック１０及び第８ホック１１の合計８個のホックを設けることで、図４に示したトレイ型にした場合に当該トレイの外縁が当該トレイの中央の底部から高くなり、当該トレイの中に置いた物品がこぼれ難くなるという利点を有する。
【００４９】  しかし、用途や利用方法によっては上記の例に様に合計８個のホックを設けなくてもよい。例えば、トレイの外縁の一辺を当該トレイの底部と同じ高さにして使用する場合は、第１貼り合わせ部２又は第３貼り合わせ部３のいずれかに４個のホックを設けても良い。
【００５０】  第１ホック４、第２ホック５、第３ホック６、第４ホック７、第５ホック８、第６ホック９、第７ホック１０及び第８ホック１１の代わりに対となる二つのホックをマジックテープや磁石等の他の結合部を設けても良い。
【００５１】  ベース部材と第１貼り合わせ部材２及び第２貼り合わせ部材３とから構成される二つ袋状部のうち少なくとも一つの内部の素材は、フェルト、キルティング、フランネル等の緩衝効果のある加工を施すことが好ましい。これにより袋状部に収容するペン等の物品の保護機能が向上する。
【００５２】  ベース部材の第１貼り合わせ部材２及び第２貼り合わせ部材３側の面に、フェルト、キルティング、フランネル等の緩衝効果のある加工を施すことが好ましい。これにより保持部１３に保持する物品の保護機能が向上する。
【００５３】  なお、上記の図示したペンケースのベース部材１、第１貼り合わせ部材２及び第２貼り合わせ部材３は、典型的な場合、それぞれ、特許請求範囲の又は上記の第１の基材、第２の基材及び第３の基材に対応する。
【００５４】  第１ホック４、第２ホック５、第３ホック６、第４ホック７、第５ホック８、第６ホック９、第７ホック１０及び第８ホック１１は、典型的な場合、それぞれ、特許請求範囲の又は上記の第１の結合部、第２の結合部、第３の結合部、第４の結合部、第５の結合部、第６の結合部、第７の結合部及び第８の結合部に対応する。
【００５５】  第１切欠き部１４、第２切欠き部１５、第３切欠き部１６及び第４切欠き部１７は、それぞれ、典型的な場合、特許請求範囲の又は上記の第１の切欠き部、第２の切欠き部、第３の切欠き部及び第４の切欠き部に対応する。
【００５６】  切れ込み部１２及び保持部は、それぞれ、典型的な場合、特許請求範囲の又は上記の切れ込み部及び保持部に対応する。
【符号の説明】
【００５７】１    ベース部材
２    第１貼り合わせ部材
３    第２貼り合わせ部材
４    第１ホック
５    第２ホック
６    第３ホック
７    第４ホック
８    第５ホック
９    第６ホック
１０  第７ホック
１１  第８ホック
１２  切れ込み部
１３  保持部
１４  第１切欠き部
１５  第２切欠き部
１６  第３切欠き部
１７  第４切欠き部
【図１】
2018038769.tif 000003
【図２】
2018038769.tif 000004
【図３】
2018038769.tif 000005
【図４】
2018038769.tif 000006